(57)【要約】【課題】廃棄用テープを過度に伸長させることを防ぐとともに、おむつを廃棄形態にする作業性に優れるパンツ型使い捨ておむつを提供すること。【解決手段】おむつ１の外面に廃棄用テープ１０が設けられている。廃棄用テープ１０は固定部１２と中間部１５と止着部１８とが、この順で廃棄用テープ１０の長手方向Ｘ１に沿って配置されているとともに、この順で積層された三つ折り状態になっている。止着部１８と中間部１５との間が剥離可能に接合されているとともに、中間部１５と固定部１２との間も剥離可能に接合されている。止着部１８及び中間部１５は、三つ折り状態を解除した展開状態において廃棄用テープ１０の長手方向Ｘ１に伸長可能である。止着部１８が伸長を開始する引張強度は、中間部１５が伸長を開始する引張強度より高い。【選択図】図４
2019187716.tif 000002
【特許請求の範囲】
【請求項１】
ウエスト開口部及び一対のレッグ開口部を有し、着用状態において着用者の腹側に配される腹側部、股間部に配される股下部及び背側に配される背側部を備えたパンツ型使い捨ておむつであって、
前記使い捨ておむつの外面に、廃棄用テープが設けられており、
前記廃棄用テープは、前記使い捨ておむつの外面に固定されている固定部と、中間部と、止着部とが、この順で該廃棄用テープの長手方向に沿って配置されているとともに、この順で積層された三つ折り状態になっており、
三つ折り状態になっている前記廃棄用テープは、前記止着部と前記中間部との間が剥離可能に接合されているとともに、前記中間部と前記固定部との間も剥離可能に接合されており、
前記止着部及び前記中間部は、三つ折り状態を解除した展開状態において前記廃棄用テープの長手方向に伸長可能であり、
前記止着部が伸長を開始する引張強度は、前記中間部が伸長を開始する引張強度より高い、パンツ型使い捨ておむつ。
【請求項２】
前記止着部が伸長を開始する引張強度は、前記中間部の破断強度より低い、請求項１に記載のパンツ型使い捨ておむつ。
【請求項３】
前記止着部は伸長の前後で視覚的な変化を生じるようになされている、請求項１又は２に記載のパンツ型使い捨ておむつ。
【請求項４】
前記視覚的な変化が、色の変化、図形若しくは記号の変形、又はそれらの組み合わせである、請求項３に記載のパンツ型使い捨ておむつ。
【請求項５】
前記中間部が伸長を開始する引張強度が６．５Ｎ以下であり、
前記止着部が伸長を開始する引張強度が１９．５Ｎ以下である、請求項１〜４の何れか１項に記載のパンツ型使い捨ておむつ。
【請求項６】
前記止着部が伸長を開始する引張強度は、前記使い捨ておむつと前記固定部との間の剥離強度より低い、請求項１〜５の何れか１項に記載のパンツ型使い捨ておむつ。
【請求項７】
前記固定部は、少なくともその一部が、前記使い捨ておむつの周縁域に位置する低剛性領域よりも内側に位置する高剛性領域に配されている、請求項１〜６の何れか１項に記載のパンツ型使い捨ておむつ。
【請求項８】
前記止着部が伸長を開始する引張強度は、前記中間部が伸長前の長さの３倍の長さに伸長した３倍伸長時の引張強度より高い、請求項１〜７の何れか１項に記載のパンツ型使い捨ておむつ。
【請求項９】
前記腹側部から前記股下部を介して前記背側部に延びる方向を縦方向、及び該縦方向に直交する方向を横方向としたときに、前記使い捨ておむつは、前記縦方向に伸縮する伸縮部を有しており、
前記廃棄用テープは、前記背側部に設けられており、且つ前記固定部の前記股下部側の端部が、前記縦方向において、前記伸縮部より前記ウエスト開口部の開口端側に位置している、請求項１〜８の何れか１項に記載のパンツ型使い捨ておむつ。
【請求項１０】
前記止着部が伸長を開始する引張強度は、前記外面を形成するシートの破断強度より低い、請求項１〜９の何れか１項に記載のパンツ型使い捨ておむつ。
【発明の詳細な説明】
【技術分野】
【０００１】
本発明は、廃棄用テープを備えたパンツ型使い捨ておむつに関する。
【背景技術】
【０００２】
使い捨ておむつの廃棄を容易に且つ衛生的に行う観点から、使い捨ておむつを丸めた状態に維持し得る廃棄用テープを備えたおむつが知られている。この廃棄用テープとしては、おむつを丸める作業性や、おむつを丸めた状態に維持する観点から、伸長可能な部分を有しているものが提案されている。例えば、本出願人は、先に、基部に連設された伸長可能な伸長部を有する止着テープを提案している（特許文献１）。
【０００３】
また、特許文献２には、隣接した第１及び第２のテープタブ要素と、２つの端部間の中間部分を有する塑性変形可能の伸長可能なフィルムとを備え、該フィルムの一方の端部は第１のテープタブ要素の第１表面に、該フィルムの他方の端部は第２のテープタブの第１表面に結合されてなる、積層使い捨てテープタブが記載されている。
【先行技術文献】
【特許文献】
【０００４】
【特許文献１】特開平９−９９０１０号公報
【特許文献２】特表２００９−５０７５７０号公報
【発明の概要】
【発明が解決しようとする課題】
【０００５】
特許文献１によれば、廃棄用テープの伸長に起因してその長さが増加するため、おむつを容易に丸められ、且つおむつを丸めた状態に維持しやすくなる。特許文献２によれば、テープタブの片方の端を握ってタブを伸長でき、その結果タブは十分に延伸されて製品周囲を包むことができる。
しかしながら、伸長可能な部分を有する廃棄用テープは、過度に伸長させると破断することがある。また、廃棄用テープを用いておむつを丸めて廃棄形態にする作業者は、該廃棄用テープが破断する不安から、廃棄用テープを十分に伸長させずに用いることがあった。
特許文献１及び２は、廃棄用テープを過度に伸長させることを防ぐ技術を開示するものではない。
【０００６】
本発明の課題は、前述した従来技術が有する欠点を解消し得るパンツ型使い捨ておむつを提供することにある。
【課題を解決するための手段】
【０００７】
本発明は、ウエスト開口部及び一対のレッグ開口部を有し、着用状態において着用者の腹側に配される腹側部、股間部に配される股下部及び背側に配される背側部を備えたパンツ型使い捨ておむつであって、前記使い捨ておむつの外面に、廃棄用テープが設けられており、前記廃棄用テープは、前記使い捨ておむつの外面に固定されている固定部と、中間部と、止着部とが、この順で該廃棄用テープの長手方向に沿って配置されているとともに、この順で積層された三つ折り状態になっており、三つ折り状態になっている前記廃棄用テープは、前記止着部と前記中間部との間が剥離可能に接合されているとともに、前記中間部と前記固定部との間も剥離可能に接合されており、前記止着部及び前記中間部は、三つ折り状態を解除した展開状態において前記廃棄用テープの長手方向に伸長可能であり、前記止着部が伸長を開始する引張強度は、前記中間部が伸長を開始する引張強度より高い、パンツ型使い捨ておむつを提供するものである。
【発明の効果】
【０００８】
本発明によれば、廃棄用テープを過度に伸長させることを防ぐとともに、おむつを廃棄形態にする作業性に優れる。
【図面の簡単な説明】
【０００９】
【図１】図１は、本発明のパンツ型使い捨ておむつの一実施形態を示す斜視図である。
【図２】図２は、図１に示すパンツ型使い捨ておむつの展開且つ伸長状態における肌対向面側を模式的に示す展開平面図である。
【図３】図３は、図１に示すパンツ型使い捨ておむつの廃棄形態を示す斜視図である。
【図４】図４は、図１に示すパンツ型使い捨ておむつに設けられた廃棄用テープの構造を示す断面図である。
【図５】図５（ａ）及び（ｂ）は、図１に示すパンツ型使い捨ておむつの廃棄用テープを伸長させる様子を示す斜視図である。
【図６】図６は、本発明に係る廃棄用テープの配置例を示す斜視図である。
【発明を実施するための形態】
【００１０】
以下本発明を、その好ましい実施形態に基づき図面を参照しながら説明する。図１には、本発明に係るパンツ型使い捨ておむつの一実施形態が示されている。同図に示すパンツ型使い捨ておむつ１（以下、単に「おむつ１」とも言う。）は、着用者の下腹部に装着されて使用される着用物品の一種である。
【００１１】
おむつ１は、図１に示すように、着用者の胴が通されるウエスト開口部１Ｗ、及び着用者の下肢が通される一対のレッグ開口部１Ｌ，１Ｌを有するパンツ型使い捨ておむつとなっている。
おむつ１は、表面シート、裏面シート、及び吸収体４０を有する吸収性本体４と、吸収性本体４の非肌対向面側に配された外装体５とを備えている。外装体５は、おむつ１の非肌対向面、即ちおむつ１の外面を形成している。
【００１２】
本明細書において、「肌対向面」は、吸収性物品であるおむつ１又はその構成部材（例えば表面シート２）における、着用時に着用者の肌側に向けられる面、即ち相対的に着用者の肌に近い側であり、「非肌対向面」は、おむつ１又はその構成部材における、着用時に肌側とは反対側（着衣側）に向けられる面、即ち相対的に着用者の肌から遠い側である。尚、ここでいう「着用時」は、通常の適正な着用位置、即ち当該おむつ１の正しい着用位置が維持された状態を意味する。
【００１３】
おむつ１は、着用状態において着用者の腹側に配される腹側部Ａ、股間部に配される股下部Ｃ、及び着用者の背側に配される背側部Ｂを備えている。おむつ１は、腹側部Ａ及び背側部Ｂそれぞれにおける外装体５の縦方向Ｘに沿う両側縁部どうしが、接着剤、ヒートシール、超音波シール等の公知の接合手段によって互いに接合されている。これにより、前述のウエスト開口部１Ｗ、及び一対のレッグ開口部１Ｌ，１Ｌを形成する。
【００１４】
図２に、展開且つ伸長状態のおむつ１を示す。おむつ１の「展開且つ伸長状態」とは、腹側部Ａ及び背側部Ｂそれぞれの外装体５の縦方向Ｘに沿う両側縁部を接合した状態から切り離して展開状態とし、その展開状態のおむつ１を各部の弾性部材を伸長させて設計寸法（弾性部材の影響を一切排除した状態で平面状に広げたときの寸法と同じ）となるまで拡げた状態をいう。
【００１５】
おむつ１は、腹側部Ａから股下部Ｃを介して背側部Ｂに延びる方向に対応する縦方向Ｘと、該おむつ１を図２に示すように平面状に広げた状態において、該縦方向Ｘと直交する横方向Ｙとを有している。縦方向Ｘは、吸収性本体４の長手方向と一致している。おむつ１は、図２に示すように、縦方向Ｘに延びる、該おむつ１を横方向Ｙに２等分する縦方向中心線ＣＬに対して左右対称に形成されている。
おむつ１における吸収性本体４は、肌対向面側に表面シート２と、非肌対向面側に裏面シート３とを有し、これら両シート２，３間に吸収体４０を有している。吸収体４０は、表面シート２、裏面シート３及び吸収体４０は、少なくとも股下部Ｃの全域に位置するとともに、股下部Ｃから縦方向Ｘに沿って腹側部Ａ及び背側部Ｂの少なくとも一部にまでわたって延在している。おむつ１において吸収体４０は、液保持性の吸収性コア４１と該吸収性コア４１を被覆するコアラップシート４２とを含んで構成されているが、吸収体４０はコアラップシートを含んでいなくともよい。
【００１６】
おむつ１は、図２に示すように、縦方向Ｘに沿う吸収性本体４の両側部それぞれに、該縦方向Ｘに沿って延びる防漏カフ６，６を備えている。防漏カフ６，６は、吸収性本体４の縦方向Ｘの全長に亘って連続する撥水性のカフ形成用シート６１と、カフ形成用シート６１の横方向Ｙの内方側に縦方向Ｘに伸長状態で固定された１本又は複数本のカフ弾性部材６２とを含んで構成されている。防漏カフ６，６は、縦方向Ｘに延びるカフ固定部（不図示）を介して表面シートに固定されている。防漏カフ６，６は、カフ弾性部材６２を有することで、肌対向面側に起立する。
【００１７】
外装体５、吸収性本体４に含まれる表面シート２、裏面シート３及び吸収体４０、並びに防漏カフ６，６等の構成部材に用いられる材料としては、当該技術分野においてこれまで用いられてきたものと同様のものを特に制限なく用いることができる。
【００１８】
おむつ１の背側部Ｂには、図１に示すように、廃棄用テープ１０が設けられている。廃棄用テープ１０は、おむつ１の廃棄形態を維持するために用いられるものである。廃棄用テープ１０は、おむつ１の背側部Ｂにおける横方向Ｙの略中央部に位置している。また廃棄用テープ１０は、その長手方向がおむつ１の縦方向Ｘに一致するように設けられている。
【００１９】
図３には、廃棄するときのおむつ１の廃棄形態が示されている。おむつ１を廃棄するときには、図１に示すおむつ１において腹側部Ａが内向きになるように、おむつ１を股下部Ｃからウエスト開口部１Ｗに向けて巻き上げていき、図３に示す巻き上げ形態を作る。巻き上げ形態のおむつ１では、背側部Ｂに設けられている廃棄用テープ１０が、巻き上げたおむつ１の外側に露出している。廃棄用テープ１０は、後述するように該テープ１０の長手方向に伸長された後、巻き上げられて廃棄形態となったおむつ１の外周に巻き付けられ、おむつ１を廃棄形態に維持する。
【００２０】
図４には、三つ折り状態になっている廃棄用テープ１０の断面構造が示されている。廃棄用テープ１０は、主として３つの部位から構成されている。具体的には、廃棄用テープ１０は、固定部１２と、中間部１５と、止着部１８とから構成されている。これら３つの部位は、この順で廃棄用テープ１０の長手方向Ｘ１に沿って配置されている。またこれら３つの部位は、この順で積層された三つ折り状態になっている。固定部１２と中間部１５との間には他の部材は介在しておらず、両者は直接に連設されている。同様に、中間部１５と止着部１８との間にも他の部材は介在しておらず、両者は直接に連設されている。
【００２１】
廃棄用テープ１０における固定部１２は、固定部用シート片１３を有している。固定部用シート片１３は、第１面１３ａ及び第２面１３ｂを有している。三つ折り状態になっている廃棄用テープ１０において固定部用シート片１３は、後述する折り返し部１３’を除いて、第１面１３ａが中間部１５と対向し、第２面１３ｂがおむつ１の外面と対向している。また固定部１２は固定部用粘着部１４を有している。固定部用粘着部１４は、固定部用シート片１３の第２面１３ｂに設けられている。固定部１２は、固定部用粘着部１４によって、おむつ１における背側部Ｂの外面に固定されている。この固定部用粘着部１４を介して、廃棄用テープ１０は、おむつ１における背側部Ｂの外面に着脱不能に固定されている。廃棄用テープ１０をおむつ１の外面に固定する方法としては、ホットメルト型接着剤等の接着剤、融着等の公知の方法を用いることができる。
【００２２】
廃棄用テープ１０における中間部１５は、該廃棄用テープ１０に引張力が加わったときに比較的弱い引張力で容易に伸長し、廃棄用テープ１０の長さを増加させる部位である。中間部１５は中間部用シート片１６を有している。中間部用シート片１６は、先に述べた固定部用シート片１３と同じ長さであってもよく、異なる長さであってもよい。また、中間部用シート片１６は、固定部用シート片１３と同じ幅であってもよく、異なる幅であってもよい。中間部用シート片１６は、第１面１６ａ及び第２面１６ｂを有している。三つ折り状態になっている廃棄用テープ１０において中間部用シート片１６は、後述する折り返し部１６’を除いて、第１面１６ａが止着部１８と対向し、第２面１６ｂが固定部１２と対向している。また中間部１５は中間部用粘着部１７を有している。中間部用粘着部１７は、中間部用シート片１６の第２面１６ｂに設けられている。中間部用粘着部１７は、三つ折り状態になっている廃棄用テープ１０における中間部１５と固定部１２との間を剥離可能に接合するものである。したがって中間部用粘着部１７は、低粘着性の粘着剤から構成されていることが好ましい。
【００２３】
先に述べた固定部１２は、固定部用シート片１３は、廃棄用テープ１０の長手方向Ｘ１における一端が中間部１５側に折り返された折り返し部１３’を有している。そして折り返し部１３’が、中間部１５における中間部用シート片１６の一端と第２面１６ｂの側で接合されている。これによって、固定部１２と中間部１５とは直接に連設されている。固定部１２と中間部１５とを連設する方法としては、ホットメルト型接着剤等の接着剤、融着等の公知の方法を用いることができる。
【００２４】
廃棄用テープ１０における止着部１８は、おむつ１の外面における任意の位置に止着可能になっており、おむつ１の廃棄形態を廃棄用テープ１０で維持するときに、おむつ１の外面に止着される部位である。止着部１８は廃棄用テープ１０の先端域を形成しており、止着部用シート片１９を有している。止着部用シート片１９は、固定部用シート片１３又は中間部用シート片１６と同じ長さであってもよく、異なる長さであってもよい。また、止着部用シート片１９は、固定部用シート片１３又は中間部用シート片１６と同じ幅であってもよく、異なる幅であってもよい。止着部用シート片１９は、第１面１９ａ及び第２面１９ｂを有している。三つ折り状態になっている廃棄用テープ１０において止着部用シート片１９は、第２面１９ｂが中間部１５と対向している。また止着部１８は止着部用粘着部２０を有している。止着部用粘着部２０は、止着部用シート片１９の第２面１９ｂに設けられている。止着部用粘着部２０は、三つ折り状態になっている廃棄用テープ１０における止着部１８と中間部１５との間を剥離可能に接合し、且つ止着部１８をおむつ１の外面における任意の位置に確実に止着するものである。この観点から止着部用粘着部２０の粘着性の程度が決定されることが好ましい。
【００２５】
先に述べた中間部１５における中間部用シート片１６は、その長手方向Ｘ１における一端が止着部１８側に折り返されて折り返し部１６’が形成されている。そして折り返し部１６’が、止着部１８における止着部用シート片１９の一端と第２面１９ｂの側で接合されている。これによって、中間部１５と止着部１８とは直接に連設されている。中間部１５と止着部１８とを連設する方法としては、ホットメルト型接着剤等の接着剤、融着等の公知の方法を用いることができる。
また、止着部１８における止着部用シート片１９の他端には、第２面１９ｂ側に摘まみ片２１が接合されている。摘まみ片２１は、止着部用シート片１９とは別体のシート片である。
【００２６】
以上のとおり３つの部位から構成される廃棄用テープ１０は、Ｚ字状に三つ折りされている。そして、三つ折り状態になっている廃棄用テープ１０における自由端、すなわち止着部１８における摘まみ片２１の取り付け部位が、おむつ１におけるウエスト開口部１Ｗ側を向くように、廃棄用テープ１０はおむつ１の背側部Ｂに取り付けられている。
【００２７】
止着部１８及び中間部１５は、三つ折り状態を解除した展開状態において廃棄用テープ１０の長手方向Ｘ１に伸長可能である。ここで、三つ折り状態を解除した展開状態とは、廃棄用テープ１０の中間部１５と固定部１２との間を剥離し、且つ中間部１５と止着部１８との間を剥離して、三つ折り状態の廃棄用テープ１０を直線状に展開した状態を意味する。前記展開状態において、廃棄用テープ１０は、人の力によって引き伸ばすことができ、その際、止着部１８及び中間部１５を伸長させることができる。
【００２８】
廃棄用テープ１０は、中間部１５が伸長を開始する引張強度Ｐｂが、止着部１８が伸長を開始する引張強度Ｐｃより低い。即ち、止着部１８を指等で把持して、廃棄用テープ１０の長手方向Ｘ１に引き伸ばすことにより、止着部１８及び中間部１５それぞれを伸長させることができ、その引き伸ばす過程において、中間部１５が止着部１８より先に伸長を開始し〔図５（ａ）参照〕、中間部１５がある程度以上伸長した後に、止着部１８が伸長を開始する〔図５（ｂ）参照〕。そのため、例えば、止着部１８が伸長を開始した場合にはそれ以上伸長させるべきではないことを情報として与えておくことで、幼児の保護者や介護者等のおむつ１を廃棄形態にする作業者が、中間部１５を過度に伸長させることを防止でき、該中間部が破断すること等を防止することができる。これにより、作業者は、中間部１５を過度に伸長させることなく、廃棄用テープ１０を十分に引き伸ばすことができる。廃棄用テープを十分に伸長させた状態で用いることで、巻き上げたおむつに該廃棄用テープを容易に巻き付けることができ、おむつ１を廃棄形態にする作業性に優れる。
「それ以上伸長させるべきではないことを情報として与えておく」ことについての「情報」とは、例えば「摘んでいる部分が延び始めたらそれ以上伸ばさないでください」との文章であり、文章でも記号でもそれらの組み合わせ等であっても良く、そのような情報は、例えば、おむつの構成部材やおむつのパッケージ、おむつに関する広告やホームページに表示する。
【００２９】
前記引張強度は、廃棄用テープ１０の幅に依存せずに決定される値である。中間部及び止着部の各部位が伸長を開始する引張強度Ｐｂ，Ｐｃは、以下の方法により測定される。
〔伸長を開始する引張強度の測定方法〕
三つ折り状態の廃棄用テープについて、中間部を固定部から剥離し、三つ折り状態を解除した展開状態にする。次いで、廃棄用テープの長手方向を引張方向に一致させ、チャック間距離を１０ｍｍとして、中間部等の各部位を引張試験機（例えば株式会社  島津製作所社製、機種「AUTOGRAPH  AG-X」）のチャックに取り付ける。前記各部位は、隣接する他の部位との接合箇所を避けて、前記チャックに取り付ける。例えば、中間部を取り付ける場合、止着部との接合箇所及び固定部との接合箇所を避け、これら両接合箇所間でチャックに取り付ける。次いで、３００ｍｍ／ｍｉｎの速度で引っ張り、引張距離に伴なって変化する引張強度を測定する。前記各部位の伸長を開始する引張強度（Ｎ）は、測定された第一極大点の強度とする。第一極大点は、測定される引張強度（Ｎ）の曲線において、最初に現れる極大点である。第一極大点が明確に判らない場合、また、観察されない場合は伸度３０％から７０％間の伸長時の最大荷重を第一極大点の強度とみなす。また、引張距離に伴なって変化する引張強度の最大値を破断強度とし、該破断強度を示した時点を前記各部位の「破断時」とし、破断時の伸度を「伸度１００％」とする。
【００３０】
止着部１８が伸長を開始する引張強度Ｐｃは、中間部１５の破断強度Ｐｅより低いことが好ましい。斯かる構成により、廃棄用テープ１０を引き伸ばす過程において止着部１８が伸長を開始することにより、前記作業者は中間部１５の伸長に限界が近いことを認識することができる。即ち、前記作業者は中間部１５の破断が起きない程度に、廃棄用テープ１０を引き伸ばすことができる。
廃棄用テープにおける中間部等の各部位の破断強度（Ｎ）は、上述した〔伸長を開始する引張強度の測定方法〕において、引張距離に伴なって変化する引張強度の最大値とする。
【００３１】
上記の効果をより確実に奏させる観点から、止着部１８が伸長を開始する引張強度Ｐｃに対する中間部１５の破断強度Ｐｅの比率（Ｐｅ／Ｐｃ）は、好ましくは２以上、より好ましくは３以上であり、また好ましくは６以下、より好ましくは５以下であり、また好ましくは２以上６以下、より好ましくは３以上４以下である。
【００３２】
上記と同様の観点から、止着部１８は伸長の前後で視覚的な変化を生じるようになされていることが好ましい。斯かる構成により、止着部１８の伸長とともに、止着部１８の視覚的な変化を知覚することで、作業者は、伸長中の中間部１５に破断が起きないように、廃棄用テープを引き伸ばす力を容易に調整することができる。
止着部１８の視覚的な変化としては、止着部１８の色の変化、止着部１８に施された図形若しくは記号の変形、又はそれらの組み合わせが挙げられる。具体的には、止着部１８が、伸長の前後で濃い色から薄い色に又は薄い色から濃い色に変化することや、伸長の前後で図形若しくは記号が拡大すること等が挙げられる。例えば、止着部１８が引き伸ばされることにより、止着部１８における着色部分と非着色部分との面積率が変化することにより、色の変化を生じさせることができる。また、止着部１８が引き伸ばされることに伴い、止着部１８に施された図形等も引き伸ばされて、該図形等を変形させることができる。
【００３３】
廃棄用テープ１０を伸長し易くし、且つ意図せず伸長することを防止する観点から、中間部１５が伸長を開始する引張強度Ｐｂは、好ましくは１．０Ｎ以上、より好ましくは３．０Ｎ以上であり、また好ましくは６．５Ｎ以下、より好ましくは５Ｎ以下であり、また好ましくは１．０Ｎ以上６．５Ｎ以下、より好ましくは３．０Ｎ以上５Ｎ以下である。
止着部１８より先に、中間部１５を容易に伸長させる観点から、止着部１８が伸長を開始する引張強度Ｐｃは、好ましくは１０Ｎ以上、より好ましくは１２Ｎ以上であり、また好ましくは１９．５Ｎ以下、より好ましくは１５Ｎ以下であり、また好ましくは１０Ｎ以上１９．５Ｎ以下、より好ましくは１２Ｎ以上１５Ｎ以下である。
【００３４】
廃棄用テープ１０を引き伸ばす過程において該廃棄用テープの破断を抑制する観点から、止着部１８の破断強度Ｐｆは、好ましくは２０Ｎ以上、より好ましくは２５Ｎ以上であり、また好ましくは５０Ｎ以下、より好ましくは４５Ｎ以下であり、また好ましくは２０Ｎ以上５０Ｎ以下、より好ましくは２５Ｎ以上４５Ｎ以下である。
【００３５】
廃棄用テープを引っ張る際に、おむつ１外面からの固定部１２の剥離を抑制する観点から、止着部１８が伸長を開始する引張強度Ｐｃは、おむつ１と固定部１２との間の剥離強度Ｐｇより低いことが好ましい。上記の効果をより確実に奏させる観点から、おむつ１と固定部１２との間の剥離強度Ｐｇに対する止着部１８が伸長を開始する引張強度Ｐｃの比率（Ｐｇ／Ｐｃ）は、好ましくは３以上、より好ましくは４以上であり、また好ましくは８以下、より好ましくは７以下であり、また好ましくは３以上８以下、より好ましくは４以上７以下である。
【００３６】
おむつ１と固定部１２との間の剥離強度Ｐｇは、以下の方法により測定される。
〔おむつと固定部との間の剥離強度の測定方法〕
おむつにおける三つ折り状態の廃棄用テープについて、三つ折り状態を解除した展開状態にする。次いで、廃棄用テープの長手方向を引張方向に一致させて、固定部とおむつの外面を形成するシートを、引張試験機（例えば株式会社  島津製作所社製、機種「AUTOGRAPH AG-X」）のチャック間に取り付ける。この取り付けは、廃棄テープ側は中間部の接合箇所以外の部分をチャックに取り付け、おむつ側は縦方向において固定部の股下部側の端部から股下部側へ１０ｍｍ離間した位置をチャックに取り付ける。チャック間距離は５０ｍｍとする。次いで、３００ｍｍ／ｍｉｎの速度で伸長させ、おむつの外面から固定部を引き剥がし、その過程における引張強度の最大値を、おむつと固定部との間の剥離強度Ｐｇとする。
【００３７】
おむつ１は、その厚み方向内側に吸収性コア４１が存在する高剛性領域と、該高剛性領域に比して低剛性である低剛性領域とを有している。また、おむつ１は、該おむつ１の周縁域に、ウエストギャザーＷＧや、レッグギャザーＬＧが形成されている（図１参照）。周縁域とは、吸収体４０のウエスト端部側の領域をいう。ウエストギャザーＷＧや、レッグギャザーＬＧは、その伸縮性を良好にする観点から、低剛性領域に形成されることが多い。
中間部１５や止着部１８に安定して引張力がかかるようにする観点から、固定部１２は、少なくともその一部が、低剛性領域よりも内側に位置する高剛性領域に配されていることが好ましい。この場合、固定部１２はその全体が高剛性領域に配されていてもよい。「低剛性領域よりも内側」とは、低剛性領域に比して縦方向Ｘにも横方向Ｙにも内方に位置することを意味する。廃棄用テープ１０が高剛性領域に配される態様として、例えば、固定部１２の長手方向内方側が部分的に吸収体４０と重なっている態様が挙げられる。また、図６に示すように、固定部１２はその全体が吸収体４０と重なるように配されていてもよい。
【００３８】
伸長させた廃棄用テープ１０が過度に長くなることを抑制して、該廃棄用テープをおむつ１に容易に巻き付ける観点から、止着部１８が伸長を開始する引張強度Ｐｃは、中間部１５が伸長前の長さの３倍の長さに伸長した３倍伸長時の引張強度Ｐ３ｂより高いことが好ましい。斯かる構成により、止着部１８は、中間部１５が伸長前の長さの３倍以上に伸長した後に、伸長を開始する。ここで、中間部１５の伸長前後の長さは、中間部１５における長手方向Ｘ１に伸長可能な部分の伸長前後の長さである。
【００３９】
上記の効果をより確実に奏させる観点から、中間部１５の３倍伸長時の引張強度Ｐ３ｂに対する止着部１８が伸長を開始する引張強度Ｐｃの比率（Ｐｃ／Ｐ３ｂ）は、好ましくは１．５以上、より好ましくは２．０以上であり、また好ましくは３．５以下、より好ましくは３．０以下であり、また好ましくは１．５以上３．５以下、より好ましくは２．０以上３．０以下である。
「伸長前の長さの３倍の伸長時の引張強度」とは、前述の〔伸長を開始する引張強度の測定方法〕において、３００ｍｍ／ｍｉｎの速度で引っ張る過程で、中間部の長さが伸長前の長さの３倍となる時点の引張強度である。
【００４０】
おむつ１には、横方向Ｙに沿って延びる１本又は複数本の弾性部材５３，５４が、ウエスト開口部１Ｗの近傍や、ウエスト開口部１Ｗとレッグ開口部１Ｌとの間の部位である胴回り部に配されている。また、レッグ開口部１Ｌには、該開口部１Ｌに沿って弾性部材５２が配されており、該弾性部材５２は縦方向Ｘに沿って延びる部分を有している。これら弾性部材の伸縮によって、おむつ１が着用者の身体にフィットし、おむつ１の装着感が良好になるとともに、排泄物の漏れが効果的に防止される。
【００４１】
前述したように、おむつ１は、上述した弾性部材に加え、防漏カフ６において縦方向Ｘに伸縮する弾性部材６２も有している。このような弾性部材等によって縦方向Ｘや横方向Ｙ等の所定の方向に伸縮する部分を、以下、伸縮部ともいう。
おむつ１の外面には、伸縮部の伸縮性に起因する凹凸が形成されることがあり、このような凹凸が形成された部位に廃棄用テープを配すると、意図せず剥離してしまう虞がある。廃棄用テープ１０をおむつ１の外面に確実に固定する観点から、固定部１２は、おむつ１の平面視において、伸縮部と重ならない位置に廃棄用テープ１０の固定部１２が位置していることが好ましい。このような態様として、縦方向Ｘにおいて、固定部１２の股下部Ｃ側の端部１２ａが、縦方向Ｘに伸縮する伸縮部よりウエスト開口部１Ｗの開口端５０側に位置していることが挙げられる（図２参照）。この場合、固定部１２の股下部Ｃ側の端部１２ａは、背側部Ｂにおいて、カフ弾性部材６２の背側部Ｂ側の端部及びレッグ開口部に沿って配された弾性部材５２の背側部Ｂ側の端部よりも、ウエスト開口部１Ｗの開口端５０側に配されている。即ち、縦方向Ｘにおいて、固定部１２の股下部Ｃ側の端部１２ａと背側部Ｂのウエスト開口端５０との間の長さＬ１０は、カフ弾性部材６２と該ウエスト開口端５０との間の長さＬ１２、及びレッグ開口部に配された弾性部材５２と該ウエスト開口端５０との間の長さＬ１４に比して短い（図２参照）。
【００４２】
廃棄用テープ１０とおむつ１の外面との接合をより確実にする観点から、固定部１２の股下部Ｃ側の端部１２ａと背側部Ｂのウエスト開口端５０との間の長さをＬ１０（図２参照）とし、カフ弾性部材６２と該ウエスト開口端５０との間の長さをＬ１２（図２参照）としたとき、Ｌ１０に対するＬ１２の比率（Ｌ１２／Ｌ１０）は、好ましくは１．０５以上、より好ましくは１．１以上であり、また好ましくは２．０以下、より好ましくは１．７５以下であり、また好ましくは１．０５以上２．０以下、より好ましくは１．１以上１．７５以下である。
上記と同様の観点から、レッグ開口部１Ｌに配された弾性部材５２と該ウエスト開口端５０との間の長さをＬ１４（図２参照）としたとき、Ｌ１０に対するＬ１４の比率（Ｌ１４／Ｌ１０）は、好ましくは１．１以上、より好ましくは１．２以上であり、また好ましくは２．５以下、より好ましくは２．２以下であり、また好ましくは１．１以上２．５以下、より好ましくは１．２以上２．２以下である。
【００４３】
廃棄用テープを引っ張る際に、おむつの外面を形成するシートが破断することを抑制する観点から、止着部１８が伸長を開始する引張強度Ｐｃは、前記外面を形成するシートの破断強度Ｐｈより低いことが好ましい。上記の効果をより確実に奏させる観点から、おむつ１の外面を形成するシートの破断強度Ｐｈに対する止着部１８が伸長を開始する引張強度Ｐｃの比率（Ｐｃ／Ｐｈ）は、好ましくは１．２以上、より好ましくは１．５以上であり、また好ましくは３．０以下、より好ましくは２．５以下であり、また好ましくは１．２以上３．０以下、より好ましくは１．５以上２．５以下である。
【００４４】
おむつ１の外面を形成するシートの破断強度Ｐｈは、以下の方法により測定される。
おむつ１の外面を形成するシートから縦方向に１５０ｍｍ、横方向に三つ折り状態の廃棄用テープと同じ長さの大きさに切り出した測定片を用意する。次いで、測定片の長辺と引張方向を一致させ、前述の〔伸長を開始する引張強度の測定方法〕と同様の方法で引張強度を測定する。前記シートの破断強度は、引張距離に伴なって変化する引張強度の最大値とする。
【００４５】
止着部１８が伸長を開始する引張強度Ｐｃが、中間部１５が伸長を開始する引張強度Ｐｂより高いことを前提として、中間部１５及び止着部１８が伸長可能であるためには、中間部１５及び止着部１８それぞれを構成するシート片１６，１９として、適切な材料を選択すればよい。具体的には、これらシート片１６，１９の構成材料として、例えば伸長可能なフィルムを用いることができる。そのようなフィルムとしては、例えば単一層フィルム、及び共押出しフィルムのような多層フィルムが挙げられる。また、伸長可能なフィルムを構成する材料としては、例えば線状低密度ポリエチレンなどのポリオレフィンが好ましい。また、ポリ塩化ビニル、エチレン−酢酸ビニル共重合体及びポリビニルアルコールからなる群から選択される少なくとも１種の材料も好ましい。更に、少なくとも５０％、より好ましくは少なくとも７０％の永久変形を有する材料を用いることも有利である。
【００４６】
固定部１２を構成するシート片１３としては、上述したシート片の構成材料と同じものを用いても良く、伸長不可能、即ち塑性変形不可能な任意の材料を用いてもよい。例えば、樹脂性シート（プラスチックシート，フィルム等）、不織布、織布など、従来用いられていた公知のものを特に制限なく用いることができる。なお、固定部用シート片１３の構成材料が、伸長可能であったとしても、おむつ１の外面に固定されている部分においては、その伸長性は発現しない状態となっている。
【００４７】
中間部１５と固定部１２とを剥離可能に接合する中間部用粘着部１７や、止着部１８と中間部１５とを剥離可能に接合する止着部用粘着部２０としては、例えばゴム系粘着剤及びアクリル系粘着剤が一般的に使用され、好ましくはゴム系粘着剤が使用される。ゴム系粘着剤としては、例えばスチレン−ブタジエンブロック共重合体や水添スチレン−ブタジエンブロック共重合体等の合成ゴム、又はこれら合成ゴムと樹脂とのブレンド等が挙げられる。また、ヒートシール、ホットメルト系粘着剤、メルトブロー状又は繊維状の粘着剤若しくは接着剤等からなる粘着剤を用いてもよい。
【００４８】
中間部用粘着部１７及び止着部用粘着部２０はそれぞれ、中間部用シート片１６の第２面１６ｂの全面に形成されていてもよい。また、これら粘着部１７，２０はそれぞれ間欠的に形成されていてもよい。この場合、上述した粘着剤を間欠的に塗布することにより、これら粘着部１７，２０を間欠的に形成することができる。
【００４９】
おむつ１の外面に設けられる廃棄用テープ１０は、中間部用シート片１６の一方の端部に固定部用シート片１３を、中間部用シート片１６の他方の端部に止着部用シート片１９を部分的に積層し、接着剤等の公知の方法を用いてその積層部分を接合して一体化することにより製造することができる。前記積層部分においては、前記の実施形態のように、シート片の一部を折り返した折り返し部を形成してもよい。
【００５０】
以上、本発明をその好ましい実施形態に基づき説明したが、本発明は前記実施形態に制限されない。例えば前記実施形態では、廃棄用テープ１０がおむつ１の背側部Ｂに設けられていたが、廃棄用テープ１０を設ける部位はこれに限られず、例えば腹側部Ａや股下部Ｃであってもよい。
また、前記実施形態では、廃棄用テープ１０は、おむつ１の横方向Ｙにおける略中央部に設けられていたが、廃棄用テープ１０を設ける部位はこれに限られず、例えばおむつ１の左右どちらかの側部域に設けられていてもよい。更に前記実施形態では、廃棄用テープ１０は、その長手方向Ｘ１がおむつ１の縦方向Ｘに一致するように設けられていたが、廃棄用テープ１０の向きはこれに限られず、例えば廃棄用テープ１０を、その長手方向Ｘ１が、おむつ１の横方向Ｙに一致するように設けてもよい。
また、前記実施形態では、止着部用シート片１９の他端に摘まみ片２１が接合されていたが、廃棄用テープ１０は、摘まみ片２１を具備しなくてもよい。
【００５１】
また、本発明のパンツ型着用物品は、幼児又は成人用のパンツ型使い捨ておむつの他、パンツ型の生理用ナプキン等であってもよい。
【００５２】
上述した実施形態に関し、本発明は更に以下のパンツ型使い捨ておむつを開示する。
＜１＞
ウエスト開口部及び一対のレッグ開口部を有し、着用状態において着用者の腹側に配される腹側部、股間部に配される股下部及び背側に配される背側部を備えたパンツ型使い捨ておむつであって、
前記使い捨ておむつの外面に、廃棄用テープが設けられており、
前記廃棄用テープは、前記使い捨ておむつの外面に固定されている固定部と、中間部と、止着部とが、この順で該廃棄用テープの長手方向に沿って配置されているとともに、この順で積層された三つ折り状態になっており、
三つ折り状態になっている前記廃棄用テープは、前記止着部と前記中間部との間が剥離可能に接合されているとともに、前記中間部と前記固定部との間も剥離可能に接合されており、
前記止着部及び前記中間部は、三つ折り状態を解除した展開状態において前記廃棄用テープの長手方向に伸長可能であり、
前記止着部が伸長を開始する引張強度は、前記中間部が伸長を開始する引張強度より高い、パンツ型使い捨ておむつ。
【００５３】
＜２＞
前記固定部と前記中間部との間には他の部材は介在しておらず、該固定部及び該中間部は直接に連設されており、
前記中間部と前記止着部との間にも他の部材は介在しておらず、該中間部及び該止着部は直接に連設されている、前記＜１＞に記載のパンツ型使い捨ておむつ。
＜３＞
前記中間部用粘着部は、三つ折り状態になっている前記廃棄用テープにおける前記中間部と前記固定部との間を剥離可能に接合する、前記＜１＞又は＜２＞に記載のパンツ型使い捨ておむつ。
＜４＞
前記止着部が伸長を開始する引張強度は、前記中間部の破断強度より低い、前記＜１＞〜＜３＞に記載のパンツ型使い捨ておむつ。
＜５＞
前記止着部が伸長を開始する引張強度Ｐｃに対する前記中間部の破断強度Ｐｅの比率（Ｐｅ／Ｐｃ）は、好ましくは２以上、より好ましくは３以上であり、また好ましくは６以下、より好ましくは５以下である、前記＜１＞〜＜４＞の何れか１項に記載のパンツ型使い捨ておむつ。
＜６＞
前記止着部は伸長の前後で視覚的な変化を生じるようになされている、前記＜１＞〜＜５＞の何れか１項に記載のパンツ型使い捨ておむつ。
＜７＞
前記視覚的な変化が、色の変化、図形若しくは記号の変形、又はそれらの組み合わせである、前記＜１＞〜＜６＞の何れか１項に記載のパンツ型使い捨ておむつ。
＜８＞
前記中間部が伸長を開始する引張強度Ｐｂは、１．０Ｎ以上、好ましくは３．０Ｎ以上であり、また６．５Ｎ以下、好ましくは５Ｎ以下である、前記＜１＞〜＜７＞の何れか１項に記載のパンツ型使い捨ておむつ。
＜９＞
前記止着部が伸長を開始する引張強度Ｐｃは、１０Ｎ以上、好ましくは１２Ｎ以上であり、また１９．５Ｎ以下、好ましくは１５Ｎ以下である、前記＜１＞〜＜８＞の何れか１項に記載のパンツ型使い捨ておむつ。
＜１０＞
前記中間部が伸長を開始する引張強度が６．５Ｎ以下であり、
前記止着部が伸長を開始する引張強度が１９．５Ｎ以下である、前記＜１＞〜＜９＞の何れか１項に記載のパンツ型使い捨ておむつ。
【００５４】
＜１１＞
前記止着部の破断強度Ｐｆは、２０Ｎ以上、好ましくは２５Ｎ以上であり、また５０Ｎ以下、好ましくは４５Ｎ以下である、前記＜１＞〜＜１０＞の何れか１項に記載のパンツ型使い捨ておむつ。
＜１２＞
前記止着部が伸長を開始する引張強度は、前記使い捨ておむつと前記固定部との間の剥離強度より低い、前記＜１＞〜＜１１＞の何れか１項に記載のパンツ型使い捨ておむつ。
＜１３＞
前記使い捨ておむつと前記固定部との間の剥離強度Ｐｇに対する前記止着部が伸長を開始する引張強度Ｐｃの比率（Ｐｇ／Ｐｃ）は、好ましくは３以上、より好ましくは４以上であり、また好ましくは８以下、より好ましくは７以下である、前記＜１＞〜＜１２＞の何れか１項に記載のパンツ型使い捨ておむつ。
＜１４＞
前記固定部は、少なくともその一部が、前記使い捨ておむつの周縁域に位置する低剛性領域よりも内側に位置する高剛性領域に配されている、前記＜１＞〜＜１３＞の何れか１項に記載のパンツ型使い捨ておむつ。
＜１５＞
前記使い捨ておむつは、吸収性コアを備えており、
前記高剛性領域が、前記使い捨ておむつの厚み方向に前記吸収性コアが存在する領域である、前記＜１４＞の何れか１項に記載のパンツ型使い捨ておむつ。
＜１６＞
前記固定部はその全体が前記高剛性領域に配されている、前記＜１４＞又は＜１５＞に記載のパンツ型使い捨ておむつ。
＜１７＞
前記止着部が伸長を開始する引張強度は、前記中間部が伸長前の長さの３倍の長さに伸長した３倍伸長時の引張強度より高い、前記＜１＞〜＜１６＞の何れか１項に記載のパンツ型使い捨ておむつ。
＜１８＞
前記中間部の３倍伸長時の引張強度Ｐ３ｂに対する前記止着部が伸長を開始する引張強度Ｐｃの比率（Ｐｃ／Ｐ３ｂ）は、１．５以上、好ましくは２．０以上であり、また３．５以下、好ましくは３．０以下である、前記＜１＞〜＜１７＞の何れか１項に記載のパンツ型使い捨ておむつ。
＜１９＞
前記腹側部から前記股下部を介して前記背側部に延びる方向を縦方向、及び該縦方向に直交する方向を横方向としたときに、前記使い捨ておむつは、前記縦方向に伸縮する伸縮部を有しており、
前記廃棄用テープは、前記背側部に設けられており、且つ前記固定部の前記股下部側の端部が、前記縦方向において、前記伸縮部より前記ウエスト開口部の開口端側に位置している、前記＜１＞〜＜１８＞の何れか１項に記載のパンツ型使い捨ておむつ。
＜２０＞
肌対向面側に表面シートと、非肌対向面側に裏面シートとを有し、これら両シート間に吸収体を有する吸収性本体を備え、前記縦方向に沿う該吸収性本体の両側部それぞれに、該縦方向Ｘに沿って延びる防漏カフを備えており、
前記防漏カフは、カフ形成用シートと、前記縦方向に伸長状態で固定された１本又は複数本のカフ弾性部材とを含んで構成されており、
前記固定部の前記股下部側の端部は、前記背側部において、前記カフ弾性部材の前記背側部側の端部及び前記レッグ開口部に沿って配された弾性部材の前記背側部側の端部よりも、前記ウエスト開口部の開口端側に配されている、前記＜１９＞に記載のパンツ型使い捨ておむつ。
【００５５】
＜２１＞
前記固定部の前記股下部側の端部と前記背側部の前記ウエスト開口端との間の長さをＬ１０とし、前記カフ弾性部材と該ウエスト開口端との間の長さをＬ１２としたとき、Ｌ１０に対するＬ１２の比率（Ｌ１２／Ｌ１０）は、１．０５以上、好ましくは１．１以上であり、また２．０以下、好ましくは１．７５以下である、前記＜２０＞に記載のパンツ型使い捨ておむつ。
＜２２＞
前記レッグ開口部に配された弾性部材と該ウエスト開口端との間の長さをＬ１４としたとき、Ｌ１０に対するＬ１４の比率（Ｌ１４／Ｌ１０）は、１．１以上、好ましくは１．２以上であり、また２．５以下、好ましくは２．２以下である、前記＜２０＞又は＜２１＞の何れか１項に記載のパンツ型使い捨ておむつ。
＜２３＞
前記止着部が伸長を開始する引張強度は、前記外面を形成するシートの破断強度より低い、前記＜１＞〜＜２２＞の何れか１項に記載のパンツ型使い捨ておむつ。
＜２４＞
前記使い捨ておむつの外面を形成するシートの破断強度Ｐｈに対する前記止着部が伸長を開始する引張強度Ｐｃの比率（Ｐｃ／Ｐｈ）は、１．２以上、好ましくは１．５以上であり、また３．０以下、好ましくは２．５以下である、前記＜１＞〜＜２３＞の何れか１項に記載のパンツ型使い捨ておむつ。
【符号の説明】
【００５６】
１  パンツ型使い捨ておむつ
１Ｌ  レッグ開口部
１Ｗ  ウエスト開口部
２  表面シート
３  裏面シート
４  吸収性本体
１０  廃棄用テープ
１２  固定部
１３  固定部用シート片
１４  固定部用粘着部
１５  中間部
１６  中間部用シート片
１７  中間部用粘着部
１８  止着部
１９  止着部用シート片
２０  止着部用粘着部
２１  摘まみ片
Ａ  腹側部
Ｂ  背側部
Ｃ  股下部
【図１】
2019187716.tif 000003
【図２】
2019187716.tif 000004
【図３】
2019187716.tif 000005
【図４】
2019187716.tif 000006
【図５】
2019187716.tif 000007
【図６】
2019187716.tif 000008